(57)【要約】【課題】押上げ部材を回動させるために丸軸状の回動軸を別途設けることなく、用紙を押し上げることが可能な画像形成装置を提供する。【解決手段】この画像形成装置（昇華型プリンタ）は、給紙ローラ２と、用紙３０を押し上げて給紙ローラ２に当接させるための押上げ部材８と、給紙ローラ２および押上げ部材８が配置されるシャーシ１とを備える。また、押上げ部材８は、用紙３０を支持する押圧部８１ｃと係合爪部８１ａとバネ係合部８１ｂとを一体的に有する第１押上げ部材８１と、シャーシ１に回動可能に係合される回動軸部８２ｅと係合穴部８２ａとバネ係合部８２ｂとを一体的に有する平板状の第２押上げ部材８２と、第１押上げ部材８１と第２押上げ部材８２に係合されているねじりコイルバネ８３とを含み、係合穴部８２ａには、係合爪部８１ａが回動可能に係合されている。【選択図】図５
0003126589.tif 000002
【実用新案登録請求の範囲】
【請求項１】
用紙を給紙方向に搬送する給紙ローラと、前記用紙を押し上げて前記給紙ローラに当接させるための押上げ部材とを備えた画像形成装置において、
前記給紙ローラおよび前記押上げ部材が配置されるシャーシをさらに備え、
前記押上げ部材は、
前記用紙を支持する用紙支持部と第１係合部と第１バネ係合部とを一体的に有する第１押上げ部材と、
前記第１押上げ部材に係合され、前記シャーシに回動可能に係合される回動軸部と第２係合部と第２バネ係合部とを一体的に有する平板状の第２押上げ部材と、
前記第１押上げ部材および前記第２押上げ部材に係合され、コイル部と、前記コイル部の一方端部に設けられた第１腕部とを有するねじりコイルバネとを含み、
前記第２押上げ部材の前記第２係合部には、前記第１押上げ部材の前記第１係合部が回動可能に係合され、
前記第２押上げ部材の前記第２バネ係合部には、前記ねじりコイルバネの前記コイル部が係合され、
前記第１押上げ部材の前記第１バネ係合部には、前記ねじりコイルバネの前記第１腕部が係合され、
前記第１押上げ部材の前記第１係合部は、前記給紙方向に延びる係合爪部を含み、
前記第２押上げ部材の第２係合部は、前記係合爪部を挿入可能で、かつ、前記係合爪部の給紙方向の長さよりも小さい長さを有する係合穴部を含み、
前記第２押上げ部材の第２バネ係合部は、係合されている前記ねじりコイルバネの前記コイル部が、前記用紙の給紙方向と交差する方向の一方側に移動するのを抑制するための係止部を含み、
前記ねじりコイルバネの前記第１腕部は、前記第１押上げ部材の第１バネ係合部を、上方向および前記用紙の給紙方向と交差する方向の他方側に付勢するように前記第１バネ係合部に係合され、
前記第１押上げ部材の第１バネ係合部は、上方向に延びるとともに、前記用紙の給紙方向と交差する方向の一方側に折れ曲がるように形成され、
前記ねじりコイルバネは、前記ねじりコイルバネの前記コイル部の他方端部に設けられ、前記第２バネ係合部に係止する第２腕部をさらに含む、画像形成装置。
【請求項２】
用紙を給紙方向に搬送する給紙ローラと、
前記用紙を押し上げて前記給紙ローラに当接させるための押上げ部材と、
前記給紙ローラおよび前記押上げ部材が配置されるシャーシとを備え、
前記押上げ部材は、
前記用紙を支持する用紙支持部と第１係合部と第１バネ係合部とを一体的に有する第１押上げ部材と、
前記第１押上げ部材に係合され、前記シャーシに回動可能に係合される回動軸部と第２係合部と第２バネ係合部とを一体的に有する平板状の第２押上げ部材と、
前記第１押上げ部材および前記第２押上げ部材に係合され、コイル部と、前記コイル部の一方端部に設けられた第１腕部とを有するねじりコイルバネとを含み、
前記第２押上げ部材の前記第２係合部には、前記第１押上げ部材の前記第１係合部が回動可能に係合され、
前記第２押上げ部材の前記第２バネ係合部には、前記ねじりコイルバネの前記コイル部が係合され、
前記第１押上げ部材の前記第１バネ係合部には、前記ねじりコイルバネの前記第１腕部が係合されている、画像形成装置。
【請求項３】
前記第１押上げ部材の第１係合部は、前記給紙方向に延びる係合爪部を含み、
前記第２押上げ部材の第２係合部は、前記係合爪部を挿入可能で、かつ、前記係合爪部の給紙方向の長さよりも小さい長さを有する係合穴部を含む、請求項２に記載の画像形成装置。
【請求項４】
前記係合穴部は、互いに連続するように設けられた第１係合穴部分および第２係合穴部分を含み、
前記第１係合穴部分は、前記第１係合穴部分の前記給紙方向の一方側に設けられ、前記係合爪部の一方係合面が係合する第１係合面を含み、
前記第２係合穴部分は、前記係合穴部の前記給紙方向の他方側に前記第１係合面の対角線上に設けられ、前記係合爪部の他方係合面が係合する第２係合面を含み、
前記第１係合穴部分および前記第２係合穴部分の給紙方向の長さは、前記係合爪部の厚みよりも大きく、かつ、前記第１係合面および前記第２係合面の給紙方向の間隔は、前記係合爪部の厚みと略等しい、請求項３に記載の画像形成装置。
【請求項５】
前記第２押上げ部材の第２バネ係合部は、係合されている前記ねじりコイルバネの前記コイル部が、前記用紙の給紙方向と交差する方向の一方側に移動するのを抑制するための係止部を含み、
前記ねじりコイルバネの前記第１腕部は、前記第１押上げ部材の第１バネ係合部を、上方向および前記用紙の給紙方向と交差する方向の他方側に付勢するように前記第１バネ係合部に係合されている、請求項２〜４のいずれか１項に記載の画像形成装置。
【請求項６】
前記第１バネ係合部は、上方向に延びるとともに、前記用紙の給紙方向と交差する方向の一方側に折れ曲がるように形成されている、請求項５に記載の画像形成装置。
【請求項７】
前記ねじりコイルバネは、前記ねじりコイルバネの前記コイル部の他方端部に設けられ、前記第２バネ係合部に係止する第２腕部をさらに含む、請求項２〜６のいずれか１項に記載の画像形成装置。
【考案の詳細な説明】
【技術分野】
【０００１】
この考案は、画像形成装置に関し、特に、用紙を押し上げて給紙ローラに当接させるための押上げ部材を備えた画像形成装置に関する。
【背景技術】
【０００２】
従来、昇華型プリンタなどの画像形成装置に用いられる給紙装置として、用紙を給紙方向に搬送する給紙ローラに対して用紙を押圧するための押上げ部材を備えた給紙装置が知られている（たとえば、特許文献１〜４参照）。
【０００３】
上記特許文献１には、駆動ローラ（給紙ローラ）に原稿束（用紙）を押圧するための可動押圧板（押上げ部材）と、可動押圧板を揺動回転させるための駆動部材と、駆動部材に支持されているばねと、シャーシの外部に設けられている押圧用モータと、押圧用モータの駆動力を可動押圧板に伝達するとともに、シャーシに設けられている軸受によって支持されている丸軸状の揺動軸とを備えた給紙装置が開示されている。この給紙装置は、押圧用モータが駆動回転するのに伴って揺動軸が回転し、揺動軸にネジなどにより固定されている駆動部材が揺動するように構成されている。また、駆動部材に支持されているばねを介して可動押圧板を揺動回転させるように構成されている。
【０００４】
また、上記特許文献２には、前部給送台（押上げ部材）をピックアップローラ（給紙ローラ）に対して給送に適した所定の加圧力で圧接させる複数の部材からなる連動機構を備えた印字装置（画像形成装置）が開示されている。この連動機構は、前部給送台に止めピンによってその一方端側が回動可能に取り付けられるステーと、第１アームと、ステーの他方端側および第１アームの一方端側が止めピンにより回動可能に取り付けられる丸軸状の加圧用支点軸と、第１アームの他方端側にその一方端がネジ止めされている第２アームとを備えている。
【０００５】
また、上記特許文献３には、給紙ローラに単票（用紙）を押圧させる圧接板（押上げ部材）と、筐体に固定されている案内板と、案内板に設けられ、圧接板を回動可能に支持する丸軸状の軸と、圧接板を給紙ローラの方向に付勢させるためのねじりコイルばねとを備えた給紙装置が開示されている。この給紙装置の圧接板は、ねじりコイルばねの付勢力によって、単票の枚数が少なくなるにしたがって、次第に給紙ローラ側に回動するように構成されている。
【０００６】
また、上記特許文献４には、ピックアップローラ（給紙ローラ）に記録紙（用紙）を押圧させるノックアップアーム（第１押上げ部材）と、モータにより回転可能な回転シャフトによって回動可能なノックアップアームブラケット（第２押上げ部材）と、ノックアップアームとノックアップアームブラケットとを回動可能に支持するねじりコイルバネとを備えた熱転写記録装置が開示されている。この熱転写記録装置は、ノックアップアームブラケットに固定されている丸軸状の回転シャフトがモータにより回転されることによって、ノックアップアームブラケットに接続されているねじりコイルバネおよびノックアップアームが回動するように構成されている。これにより、ノックアップアームは、記録紙が積層されているシート載置板を押圧するように構成されている。
【特許文献１】特開平５−１３２１９４号公報
【特許文献２】特開平６−２８６２６５号公報
【特許文献３】実公平７−４１７１７号公報
【特許文献４】特許第２７４０２１５号公報
【考案の開示】
【考案が解決しようとする課題】
【０００７】
しかしながら、上記特許文献１に開示された給紙装置では、可動押圧板を駆動させるために、押圧用モータおよび駆動部材を接続する丸軸状の揺動軸を設けているため、可動押圧板を回動させるために加工に時間を要する丸軸状の揺動軸（回動軸）が別途必要であるという問題点があった。
【０００８】
また、上記特許文献２に開示された印字装置（画像形成装置）では、前部給送台（押上げ部材）をピックアップローラ（給紙ローラ）に対して給送に適した所定の加圧力で圧接させる連動機構のステーと、第１アームとを回動可能に支持する丸軸状の加圧用支点軸を設けているため、前部給送台をピックアップローラに圧接させるために加工に時間を要する丸軸状の加圧用支点軸（回動軸）が別途必要であるという問題点があった。
【０００９】
また、上記特許文献３に開示された給紙装置では、圧接板（押上げ部材）を回動させるために、圧接板を回動可能に支持する丸軸状の軸を設けているため、圧接板を回動させるために加工に時間を要する丸軸状の軸（回動軸）が別途必要であるという問題点があった。
【００１０】
また、上記特許文献４に開示された熱転写記録装置では、モータおよびノックアップアームブラケット（第２押上げ部材）を接続する丸軸状の回転シャフトを設けているため、ノックアップアームブラケットを回動させるために加工に時間を要する丸軸状の回転シャフト（回動軸）が別途必要であるという問題点があった。
【００１１】
この考案は、上記のような課題を解決するためになされたものであり、この考案の１つの目的は、押上げ部材を回動させるために丸軸状の回動軸を別途設けることなく、用紙を押し上げることが可能な画像形成装置を提供することである。        
【課題を解決するための手段および考案の効果】
【００１２】
この考案の第１の局面による画像形成装置は、用紙を給紙方向に搬送する給紙ローラと、用紙を押し上げて給紙ローラに当接させるための押上げ部材とを備えた画像形成装置において、給紙ローラおよび押上げ部材が配置されるシャーシをさらに備え、押上げ部材は、用紙を支持する用紙支持部と第１係合部と第１バネ係合部とを一体的に有する第１押上げ部材と、第１押上げ部材に係合され、シャーシに回動可能に係合される回動軸部と第２係合部と第２バネ係合部とを一体的に有する平板状の第２押上げ部材と、第１押上げ部材および第２押上げ部材に係合され、コイル部と、コイル部の一方端部に設けられた第１腕部とを有するねじりコイルバネとを含み、第２押上げ部材の第２係合部には、第１押上げ部材の第１係合部が回動可能に係合され、第２押上げ部材の第２バネ係合部には、ねじりコイルバネのコイル部が係合され、第１押上げ部材の第１バネ係合部には、ねじりコイルバネの第１腕部が係合され、第１押上げ部材の第１係合部は、給紙方向に延びる係合爪部を含み、第２押上げ部材の第２係合部は、係合爪部を挿入可能で、かつ、係合爪部の給紙方向の長さよりも小さい長さを有する係合穴部を含み、第２押上げ部材の第２バネ係合部は、係合されているねじりコイルバネのコイル部が、用紙の給紙方向と交差する方向の一方側に移動するのを抑制するための係止部を含み、ねじりコイルバネの第１腕部は、第１押上げ部材の第１バネ係合部を、上方向および用紙の給紙方向と交差する方向の他方側に付勢するように第１バネ係合部に係合され、第１押上げ部材の第１バネ係合部は、上方向に延びるとともに、用紙の給紙方向と交差する方向の一方側に折れ曲がるように形成され、ねじりコイルバネは、ねじりコイルバネのコイル部の他方端部に設けられ、第２バネ係合部に係止する第２腕部をさらに含む。
【００１３】
この第１の局面による画像形成装置では、上記のように、押上げ部材を、用紙を支持する用紙支持部と第１係合部と第１バネ係合部とを有する第１押上げ部材と、第１押上げ部材に係合され、シャーシに回動可能に係合される回動軸部を一体的に有する平板状の第２押上げ部材とを含むように構成することによって、シャーシに対して第２押上げ部材を回動させるために加工に時間を要する丸軸状の回動軸を別途設ける必要がない。また、第２押上げ部材の第２係合部に、第１押上げ部材の第１係合部が回動可能に係合されるように構成することによって、第１押上げ部材を、丸軸状の回動軸を使用することなく、第２押上げ部材の第２係合部を支点に回動させることができるので、第１押上げ部材を回動させるために丸軸状の回動軸を別途設ける必要がない。これらの結果、押上げ部材（第１押上げ部材および第２押上げ部材）を回動させるために丸軸状の回動軸を別途設けることなく、用紙を押し上げることができる。また、第２押上げ部材の第２バネ係合部に、ねじりコイルバネのコイル部が係合され、第１押上げ部材の第１バネ係合部に、ねじりコイルバネの第１腕部が係合されるように構成することによって、第１押上げ部材が用紙を押し上げるとともに、第１押上げ部材の第１係合部が第２押上げ部材の第２係合部に対して回動する際に、第１押上げ部材は、第２押上げ部材の第２バネ係合部に係合されているねじりコイルバネにより付勢されるため、用紙の枚数が変化しても、その枚数に合わせてねじりコイルバネが撓むことにより、用紙を給紙ローラに適度な圧力で押圧することができる。
【００１４】
また、第１の局面では、第１押上げ部材の第１係合部は、給紙方向に延びる係合爪部を含み、第２押上げ部材の第２係合部は、係合爪部を挿入可能で、かつ、係合爪部の給紙方向の長さよりも小さい長さを有する係合穴部を含むように構成することによって、第２押上げ部材の係合穴部と第１押上げ部材の係合爪部との係合を外れにくくすることができる。また、第２押上げ部材の第２バネ係合部に、係合されているねじりコイルバネのコイル部が用紙の給紙方向と交差する方向の一方側に移動するのを抑制するための係止部を設け、ねじりコイルバネの第１腕部を、第１押上げ部材の第１バネ係合部を上方向および用紙の給紙方向と交差する方向の他方側に付勢するように第１バネ係合部に係合するように構成することによって、第２押上げ部材に係合されているねじりコイルバネの第１腕部により第１押上げ部材の第１バネ係合部が上方に付勢されることにより、第２押上げ部材の上方向への回動に伴って、容易に、第１押上げ部材を上方向へ回動させることができるので、容易に、第１押上げ部材により、用紙を押し上げて給紙ローラに付勢することができる。また、ねじりコイルバネの第１腕部により、第１押上げ部材の第１バネ係合部が給紙方向と交差する方向の他方側に付勢されることにより、第１押上げ部材の第１係合部の係合爪部を、第２係合部の係合穴部の第１係合面および第２係合面に押圧させることができる。これにより、係合穴部に対する係合爪部の係合が外れるのをより有効に抑制することができる。また、第１バネ係合部を、上方向に延びるとともに、用紙の給紙方向と交差する方向の一方側に折れ曲がるように形成することによって、第１バネ係合部は、第１バネ係合部の上方向に延びる部分により、ねじりコイルバネの第１腕部の用紙の給紙方向と交差する方向の付勢力を受けることができるとともに、第１バネ係合部の用紙の給紙方向と交差する方向の一方側に折れ曲がる部分により、ねじりコイルバネの第１腕部の上下方向の付勢力を受けることができる。また、ねじりコイルバネのコイル部の他方端部に、第２バネ係合部に係止する第２腕部を設けることによって、第２腕部によって、ねじりコイルバネのコイル部が第２バネ係合部に対して空回りしてしまうのを抑制することができる。
【００１５】
この考案の第２の局面による画像形成装置は、用紙を給紙方向に搬送する給紙ローラと、用紙を押し上げて給紙ローラに当接させるための押上げ部材と、給紙ローラおよび押上げ部材が配置されるシャーシとを備え、押上げ部材は、用紙を支持する用紙支持部と第１係合部と第１バネ係合部とを一体的に有する第１押上げ部材と、第１押上げ部材に係合され、シャーシに回動可能に係合される回動軸部と第２係合部と第２バネ係合部とを一体的に有する平板状の第２押上げ部材と、第１押上げ部材および第２押上げ部材に係合され、コイル部と、コイル部の一方端部に設けられた第１腕部とを有するねじりコイルバネとを含み、第２押上げ部材の第２係合部には、第１押上げ部材の第１係合部が回動可能に係合され、第２押上げ部材の第２バネ係合部には、ねじりコイルバネのコイル部が係合され、第１押上げ部材の第１バネ係合部には、ねじりコイルバネの第１腕部が係合されている。
【００１６】
この第２の局面による画像形成装置では、上記のように、押上げ部材を、用紙を支持する用紙支持部と第１係合部と第１バネ係合部とを有する第１押上げ部材と、第１押上げ部材に係合され、シャーシに回動可能に係合される回動軸部を一体的に有する平板状の第２押上げ部材とを含むように構成することによって、シャーシに対して第２押上げ部材を回動させるために加工に時間を要する丸軸状の回動軸を別途設ける必要がない。また、第２押上げ部材の第２係合部に、第１押上げ部材の第１係合部が回動可能に係合されるように構成することによって、第１押上げ部材を、丸軸状の回動軸を使用することなく、第２押上げ部材の第２係合部を支点に回動させることができるので、第１押上げ部材を回動させるために丸軸状の回動軸を別途設ける必要がない。これらの結果、押上げ部材（第１押上げ部材および第２押上げ部材）を回動させるために丸軸状の回動軸を別途設けることなく、用紙を押し上げることができる。また、第２押上げ部材の第２バネ係合部に、ねじりコイルバネのコイル部が係合され、第１押上げ部材の第１バネ係合部に、ねじりコイルバネの第１腕部が係合されるように構成することによって、第１押上げ部材が用紙を押し上げるとともに、第１押上げ部材の第１係合部が第２押上げ部材の第２係合部に対して回動する際に、第１押上げ部材は、第２押上げ部材の第２バネ係合部に係合されているねじりコイルバネにより付勢されるため、用紙の枚数が変化しても、その枚数に合わせてねじりコイルバネが撓むことにより、用紙を給紙ローラに適度な圧力で押圧することができる。
【００１７】
この場合において、好ましくは、第１押上げ部材の第１係合部は、給紙方向に延びる係合爪部を含み、第２押上げ部材の第２係合部は、係合爪部を挿入可能で、かつ、係合爪部の給紙方向の長さよりも小さい長さを有する係合穴部を含む。このように構成すれば、第２押上げ部材の係合穴部と第１押上げ部材の係合爪部との係合を外れにくくすることができる。
【００１８】
この場合において、好ましくは、係合穴部は、互いに連続するように設けられた第１係合穴部分および第２係合穴部分を含み、第１係合穴部分は、第１係合穴部分の給紙方向の一方側に設けられ、係合爪部の一方係合面が係合する第１係合面を含み、第２係合穴部分は、係合穴部の給紙方向の他方側に第１係合面の対角線上に設けられ、係合爪部の他方係合面が係合する第２係合面を含み、第１係合穴部分および第２係合穴部分の給紙方向の長さは、係合爪部の厚みよりも大きく、かつ、第１係合面および第２係合面の給紙方向の間隔は、係合爪部の厚みと略等しい。このように構成すれば、第１押上げ部材の係合爪部を第２押上げ部材の係合穴部（第１係合穴部分および第２係合穴部分）に係合させる際に、第１係合穴部分および第２係合穴部分の係合爪部の厚みよりも給紙方向の長さが長い部分を利用して、容易に、係合爪部を第１係合穴部分および第２係合穴部分に挿入することができるとともに、挿入後は、係合爪部の厚みと略等しい給紙方向の間隔を有する第１係合面および第２係合面に係合爪部の一方係合面および他方係合面を当接させることにより、容易に、第１押上げ部材の係合爪部と第２押上げ部材の係合穴部とを係合させることができる。
【００１９】
上記第２の局面による画像形成装置において、好ましくは、第２押上げ部材の第２バネ係合部は、係合されているねじりコイルバネのコイル部が、用紙の給紙方向と交差する方向の一方側に移動するのを抑制するための係止部を含み、ねじりコイルバネの第１腕部は、第１押上げ部材の第１バネ係合部を、上方向および用紙の給紙方向と交差する方向の他方側に付勢するように第１バネ係合部に係合されている。このように構成すれば、第２押上げ部材に係合されているねじりコイルバネの第１腕部により第１押上げ部材の第１バネ係合部が上方に付勢されることにより、第２押上げ部材の上方向への回動に伴って、容易に、第１押上げ部材を上方向へ回動させることができるので、容易に、第１押上げ部材により、用紙を押し上げて給紙ローラに付勢することができる。また、ねじりコイルバネの第１腕部により、第１押上げ部材の第１バネ係合部が給紙方向と交差する方向の他方側に付勢されることにより、第１押上げ部材の第１係合部の係合爪部を、第２係合部の係合穴部の第１係合面および第２係合面に押圧させることができる。これにより、係合穴部に対する係合爪部の係合が外れるのをより有効に抑制することができる。
【００２０】
この場合において、好ましくは、第１バネ係合部は、上方向に延びるとともに、用紙の給紙方向と交差する方向の一方側に折れ曲がるように形成されている。このように構成すれば、第１バネ係合部は、第１バネ係合部の上方向に延びる部分により、ねじりコイルバネの第１腕部の用紙の給紙方向と交差する方向の付勢力を受けることができるとともに、第１バネ係合部の用紙の給紙方向と交差する方向の一方側に折れ曲がる部分により、ねじりコイルバネの第１腕部の上下方向の付勢力を受けることができる。
【００２１】
上記第２の局面による画像形成装置において、好ましくは、ねじりコイルバネは、ねじりコイルバネのコイル部の他方端部に設けられ、第２バネ係合部に係止するための第２腕部をさらに含む。このように構成すれば、第２腕部によって、ねじりコイルバネのコイル部が第２バネ係合部に対して空回りしてしまうのを抑制することができる。
【考案を実施するための最良の形態】
【００２２】
以下、本考案の実施形態を図面に基づいて説明する。
【００２３】
図１〜図４、図１３〜図１５は、本考案の一実施形態による昇華型プリンタの構成を詳細に説明するための図である。図５〜図１２は、本考案の一実施形態による昇華型プリンタの押上げ部材の構成を説明するための図である。図１３〜図１５は、本考案の一実施形態による昇華型プリンタの構成および動作を説明するための図である。まず、図１〜図１５を参照して、本考案の一実施形態による昇華型プリンタの構成について説明する。なお、一実施形態では、画像形成装置の一例である昇華型プリンタに本考案を適用した例について説明する。
【００２４】
本考案の一実施形態による昇華型プリンタは、図１〜図４に示すように、板金製のシャーシ１と、用紙３０を給紙するためのゴム製の給紙ローラ２と、給紙ローラ２が取り付けられる給紙ローラ軸３と、給紙ローラ軸３を回転させるための給紙ローラギア４と、給紙ローラ軸受５と、印画時に用紙３０が押圧されるプラテンローラ６と、プラテンローラ軸受７と、用紙３０を給紙ローラ２に押圧するための金属製（板金製）の平板状の押上げ部材８と、駆動ギア９と、駆動ギア９を駆動させるための駆動源として機能するモータ１０（図３参照）と、モータ１０からの駆動力を駆動ギア９に伝達するための中間ギア１１（図３参照）と、給紙ローラ２を駆動させるための駆動源として機能するモータ１２（図３参照）と、モータ１２からの駆動力を給紙ローラギア４に伝達するための複数の中間ギア１３（図３参照）と、モータ１０およびモータ１２が取り付けられる金属製のモータブラケット１４と、サーマルヘッド１５（図１参照）と、サーマルヘッド１５をプラテンローラ６から離れる方向に付勢するねじりコイルバネ１６とを備えている。また、昇華型プリンタには、図１および図２に示すように、用紙３０が収納される給紙カセット１７が脱着可能に取り付けられている。
【００２５】
また、シャーシ１は、図１〜図４に示すように、モータブラケット１４が取り付けられる一方側面１ａと、他方側面１ｂと、一方側面１ａと他方側面１ｂとを連結する底面１ｃとを有する。また、シャーシ１の他方側面１ｂには、インクシートが内蔵された図示しないインクシートカートリッジを取り付けるためのインクシートカートリッジ挿入穴１ｄが設けられている。また、図４に示すように、シャーシ１の一方側面１ａおよび他方側面１ｂには、給紙ローラ軸受取付穴１ｅと、プラテンローラ軸受取付穴１ｆとが設けられている。また、図１〜図３に示すように、シャーシ１の一方側面１ａおよび他方側面１ｂの給紙ローラ軸受取付穴１ｅには、給紙ローラ２の両端部を回転可能に支持する給紙ローラ軸受５が取り付けられている。また、シャーシ１の一方側面１ａおよび他方側面１ｂのプラテンローラ軸受取付穴１ｆには、プラテンローラ６の両端部を回転可能に支持するプラテンローラ軸受７が取り付けられている。また、図３および図４に示すように、シャーシ１の底面１ｃには、押上げ部材８を回動可能に取り付けるための一対の穴１ｇが設けられている。
【００２６】
また、給紙ローラ２は、図１および図２に示すように、用紙カセット１７の押圧板１７ａの上方に配置されている。この給紙ローラ２は、回転することによって用紙３０を給紙方向（矢印Ａ１方向）に搬送するように構成されている。また、図１〜図３に示すように、給紙ローラ２は、給紙ローラ軸３の中央部近傍に取り付けられている。この給紙ローラ軸３の両端部は、シャーシ１の一方側面１ａおよび他方側面１ｂに取り付けられた給紙ローラ軸受５に回転可能に支持されている。また、一方側面１ａ側の給紙ローラ軸３の端部には、給紙ローラギア４が空回りしないように取り付けられている。この給紙ローラギア４には、図３に示すように、複数の中間ギア１３が係合している。また、複数の中間ギア１３は、モータ１２のモータギア１２ａに係合するように配置されている。
【００２７】
ここで、本実施形態では、図５〜図８に示すように、金属製（板金製）の押上げ部材８は、後述する用紙カセット１７（図１および図２参照）の押圧板１７ａ（図１および図２参照）の下面を押し上げることにより、用紙３０（図１および図２参照）を給紙ローラ２（図１および図２参照）に押圧させる平板状の第１押上げ部材８１と、第１押上げ部材８１が回動可能に取り付けられる平板状の第２押上げ部材８２と、第２押上げ部材８２に対して第１押上げ部材８１を所定の付勢力を有した状態で保持するねじりコイルバネ８３とを有する。
【００２８】
また、本実施形態では、第１押上げ部材８１は、図５〜図９に示すように、厚みｔ１（約０．８ｍｍ）（図６および図８参照）を有するとともに、第２押上げ部材８２の係合穴部８２ａに係合する係合爪部８１ａと、バネ係合部８１ｂと、押圧板１７ａ（図１および図２参照）の下面を押圧する押圧部８１ｃとを一体的に有する。なお、係合爪部８１ａは、本考案の「第１係合部」の一例であり、バネ係合部８１ｂは、本考案の「第１バネ係合部」の一例である。また、押圧部８１ｃは、本考案の「用紙支持部」の一例である。また、第２押上げ部材８２は、図５〜図８および図１１に示すように、厚みｔ２（約１ｍｍ）（図６および図８参照）を有するとともに、第１押上げ部材８１の係合爪部８１ａが挿入される係合穴部８２ａと、バネ係合部８２ｂと、プラテンローラ軸受７が挿入される挿入穴８２ｃと、駆動ギア９の後述するカム溝９ａ（図１および図２参照）に係合するカム係合部８２ｄと、一対の穴１ｇと係合する一対の回動軸部８２ｅとを一体的に含む。なお、係合穴部８２ａは、本考案の「第２係合部」の一例であり、バネ係合部８２ｂは、本考案の「第２バネ係合部」の一例である。
【００２９】
また、本実施形態では、第１押上げ部材８１の係合爪部８１ａは、図５〜図９に示すように、第１押上げ部材８１の給紙方向と実質的に直交する方向（矢印Ｂ方向）の中央部近傍の位置に設けられている。また、係合爪部８１ａは、図８に示すように、第２押上げ部材８２の厚みｔ２だけ上側（矢印Ｃ方向）に段差が設けられるとともに、第１押上げ部材８１の給紙方向（矢印Ａ１方向）に延びるように形成されている。また、係合爪部８１ａの給紙方向と実質的に直行する方向（矢印Ｂ方向）の幅、すなわち、一方側面８１ｄおよび他方側面８１ｅの間の幅は、Ｗ１（図９参照）になるように形成されている。また、係合爪部８１ａは、給紙方向（矢印Ａ１方向）の長さＬ１を有する。
【００３０】
また、本実施形態では、図６、図８および図１０に示すように、第１押上げ部材８１のバネ係合部８１ｂは、上方（矢印Ｃ方向）に延びるとともに、給紙方向と実質的に直行する方向（矢印Ｂ方向）の一方側（矢印Ｂ２方向）に折れ曲がるように形成されている。
【００３１】
また、本実施形態では、図６、図７、図１１および図１２に示すように、第２押上げ部材８２の係合穴部８２ａは、第１押上げ部材８１の係合爪部８１ａに対応する位置に設けられている。また、図１１および図１２に示すように、第１係合穴部分８２ｆの給紙方向と実質的に直行する方向（矢印Ｂ方向）の内端面８２ｈ（矢印Ｂ１側の面）および第２係合穴部分８２ｇの内端面８２ｉ（矢印Ｂ２側の面）の間の幅は、Ｗ２になるように形成されている。この内端面８２ｈおよび内端面８２ｉの間の幅Ｗ２は、第１押上げ部材８１の一方側面８１ｄ（図９参照）および他方側面８１ｅ（図９参照）の間の幅Ｗ１（図９参照）よりも若干大きくなるように形成されている。また、第２係合穴部分８２ｇは、第１係合穴部分８２ｆに対して、給紙方向に距離Ｄ４だけずらした位置に形成されている。なお、第１係合穴部分８２ｆの給紙方向の長さＤ２と第２係合穴部分８２ｇの給紙方向の長さＤ３とは、等しいとともに、係合爪部８１ａの厚みｔ１よりも大きくなるように形成されている。これにより、係合爪部８１ａの係合穴部８２ａへの挿入が容易となる。また、第１係合穴部分８２ｆの給紙方向側（矢印Ａ１方向側）の係合面８２ｊと、第２係合穴部分８２ｇの給紙方向と反対側（矢印Ａ２方向側）の係合面８２ｋとの間の距離は、Ｄ１になるように形成されている。なお、係合面８２ｊは、本考案の「第１係合面」の一例であり、係合面８２ｋは、本考案の「第２係合面」の一例である。この係合面８２ｊおよび係合面８２ｋの間の距離Ｄ１は、第１押上げ部材８１に含まれる係合爪部８１ａの厚みｔ１（図６および図８参照）と実質的に同じ大きさになるように形成されている。これにより、係合爪部８１ａが係合穴部８２ａに係合された場合に、第１押上げ部材８１が第２押上げ部材８２に対して給紙方向の前後方向（矢印Ａ１および矢印Ａ２方向）に移動するのを抑制することが可能になる。
【００３２】
また、本実施形態では、図５、図６および図９に示すように、第２押上げ部材８２のバネ係合部８２ｂは、上方（矢印Ｃ方向）に延びるバネ係止部８２ｌを含むとともに、給紙方向と実質的に直行する方向（矢印Ｂ方向）の他方側（矢印Ｂ１方向）に折れ曲がるバネ挿入部８２ｍを含むように形成されている。なお、バネ係止部８２ｌは、本考案の「係止部」の一例である。
【００３３】
また、本実施形態では、第１押上げ部材８１の係合爪部８１ａは、図５〜図８に示すように、第２押上げ部材８２の係合穴部８２ａと回動可能に係合するように構成されている。
【００３４】
また、本実施形態では、図５〜図８および図１０に示すように、ねじりコイルバネ８３は、線材がコイル状に巻かれているコイル部８３ａと、コイル部８３ａの一方端側からコイル部８３ａの実質的に接線方向に延びるように形成されている係合腕部８３ｂと、コイル部８３ａの他方端側からコイル部８３ａの巻き方向に交差する方向（矢印Ｂ２方向）に線材を折り曲げるように形成されている支持腕部８３ｃとから構成されている。なお、係合腕部８３ｂは、本考案の「第１腕部」の一例であり、支持腕部８３ｃは、本考案の「第２腕部」の一例である。また、コイル部８３ａは、コイル部８３ａの他方端側の方から第２押上げ部材８２のバネ係合部８２ｂに挿入されることにより係合されている。これにより、コイル部８３ａの他方端側に設けられている支持腕部８３ｃは、バネ係合部８２ｂのバネ係止部８２ｌの給紙方向の反対側（矢印Ａ２方向）に係止されるため、ねじりコイルバネ８３がバネ係合部８２ｂを中心に回転するのを抑制することが可能になる。また、係合腕部８３ｂは、第１押上げ部材８１のバネ係合部８１ｂを上方（矢印Ｃ方向）および給紙方向と実質的に直行する方向（矢印Ｂ方向）の他方側（矢印Ｂ１方向）に付勢するように係合されている。これにより、第１押上げ部材８１の係合爪部８１ａは、第２押上げ部材８２の係合穴部８２ａの係合面８２ｊおよび係合面８２ｋを押圧するとともに、内端面８２ｈを押圧するため、給紙方向の前後方向（矢印Ａ１およびＡ２方向）および給紙方向と実質的に直行する方向（矢印Ｂ方向）に移動するのを抑制することが可能になる。
【００３５】
このように、押上げ部材８は、用紙３０を押し上げて給紙ローラ２に当接させる第１押上げ部材８１と、一対の穴１ｇを軸に回動する第２押上げ部材８２とが回動可能に係合し、ねじりコイルバネ８３により第２押上げ部材８２と第１押上げ部材８１とを接続している構成になっている。これにより、押し上げる用紙３０の枚数が少ない場合の第２押上げ部材８２の回動角と、用紙３０の枚数が多い場合の第２押上げ部材８２の回動角とを同じにした場合にも、ねじりコイルバネ８３の支持腕部８３ｃが下方に撓むことにより、用紙３０を適度な圧力で給紙ローラ２に押圧することが可能である。
【００３６】
また、図１〜図３に示すように、駆動ギア９は、シャーシ１の一方側面１ａに取り付けられている。また、図２に示すように、この駆動ギア９の一方側面１ａ側（裏面側）には、第２押上げ部材８２のカム係合部８２ｄが当接するカム溝９ａが設けられている。このカム溝９ａは、円形状溝部９ｂと、凹形状溝部９ｃとを有する。この円形状溝部９ｂと、凹形状溝部９ｃとに第２押上げ部材８２のカム係合部８２ｄが係合した状態で駆動ギア９が回転することにより、第２押上げ部材８２は一対の回動軸部８２ｅを中心に回動する。また、図３に示すように、モータ１０は、モータギア１０ａを有する。また、中間ギア１１は、シャーシ１の一方側面１ａに取り付けられているとともに、大径ギア部１１ａと、小径ギア部１１ｂとを有する。また、モータギア１０ａと、中間ギア１１の大径ギア部１１ａとは係合しており、中間ギア１１の小径ギア部１１ｂは、駆動ギア９と係合している。このため、押上げ部材８には、モータ１０からの駆動力が、モータギア１０ａと、中間ギア１１と、駆動ギア９との３つのギアを介して伝達される。また、図１に示すように、サーマルヘッド１５は、支持軸１５ａを中心に回動するとともに、用紙３０に対して印画を行う機能を有する。
【００３７】
また、図２に示すように、用紙カセット１７の所定の位置には、樹脂製の押圧板１７ａが設けられている。この押圧板１７ａは、支点部１７ｂを中心に回動可能に形成されている。また、押圧板１７ａは、図１３に示した状態から、第１押上げ部材８１の押圧部８１ｃに押し上げられることによって、図１４および図１５に示すように、押圧板１７ａの上に載置される用紙３０を給紙ローラ２に押圧するように形成されている。
【００３８】
図１６〜図２２は、本考案の一実施形態による昇華型プリンタの押上げ部材の組立方法を詳細に説明するための図である。次に、図５、図７および図１６〜図２２を参照して、一実施形態による昇華型プリンタの押上げ部材８の組立方法について説明する。
【００３９】
まず、図１６および図１７に示すように、第１押上げ部材８１の係合爪部８１ａを、第２押上げ部材８２の係合穴部８２ａに係合爪部８１ａの延びる方向に対して少し斜めにした状態で挿入する。そして、図１８および図１９に示すように、係合爪部８１ａを矢印Ｆ方向に回転させるとともに、係合爪部８１ａを第１係合穴部分８２ｆの係合面８２ｊおよび第２係合穴部分８２ｇの係合面８２ｋに当接させる。その後、図２０に示すように、第１押上げ部材８１を矢印Ｇ方向に回動させる。次に、図２１に示すように、ねじりコイルバネ８３のコイル部８３ａの他方端側の方から第２押上げ部材８２のバネ係合部８２ｂに挿入する。この際、図２２に示すように、コイル部８３ａの他方端側に設けられている支持腕部８３ｃは、バネ係合部８２ｂのバネ係止部８２ｌの給紙方向側（矢印Ａ２方向側）に係止される。そして、係合腕部８３ｂを第１押上げ部材８１のバネ係合部８１ｂに係合させる。この際、係合腕部８３ｂのバネ係合部８１ｂに係合する部分は、第１押上げ部材８１のバネ係合部８１ｂを上方（矢印Ｃ方向）および給紙方向と実質的に直行する方向（矢印Ｂ方向）の一方側（矢印Ｂ２方向）に付勢する。このようにして、図５および図７に示したような押上げ部材８が組み立てられる。
【００４０】
次に、図３および図１３〜図１５を参照して、一実施形態による昇華型プリンタの給紙動作について説明する。
【００４１】
まず、図１３に示すように、モータ１０（図３参照）からの駆動力により、中間ギア１１の小径ギア１１ｂが、矢印Ｈ方向に回転すると、駆動ギア９は、矢印Ｉ方向に回転する。これにより、第２押上げ部材８２のカム係合部８２ｄは、図１３に示すような、駆動ギア９のカム溝９ａの円形状溝部９ｂに係合した状態から、図１４に示すような、駆動ギア９のカム溝９ａの凹形状溝部９ｃに係合した状態になる。これにより、第２押上げ部材８２は、回動軸部８２ｅが穴１ｇに取り付けられているため、軸部８２ｆを回動中心として、矢印Ｊ方向に所定の角度α回動する。このため、第１押上げ部材８１の押圧部８１ｃにより、用紙カセット１７の押圧板１７ａが上方に持ち上げられるので、押圧板１７ａにより支持される用紙３０が給紙ローラ２に押圧される。次に、図３に示すように、モータ１２の駆動力は、モータギア１２ａおよび複数の中間ギア１３を介して給紙ローラギア４に伝達される。これにより、図１４に示すように、給紙ローラ軸３および給紙ローラ２がＫ方向に回転するので、用紙３０が給紙方向（矢印Ａ１方向）に搬送される。また、一実施形態では、図１５に示すように、給紙カセット１７の押圧板１７ａに載置された用紙の枚数が多い場合にも、第２押上げ部材８２は、所定の角度α回動する。その場合には、ねじりコイルバネ８３が下方向（矢印Ｌ方向）に撓むことにより、第１押上げ部材８１は、適度な押圧力で、用紙３０を給紙ローラ２に押圧する。
【００４２】
本実施形態では、上記のように、押上げ部材８を、用紙を支持する押圧部８１ｃと係合爪部８１ａとバネ係合部８１ｂとを有する第１押上げ部材８１と、第１押上げ部材８１に係合され、シャーシ１の一対の穴１ｇに回動可能に係合される回動軸部８２ｅを一体的に有する平板状の第２押上げ部材８２とを含むように構成することによって、シャーシ１に対して第２押上げ部材８２を回動させるために加工に時間を要する丸軸状の回動軸を別途設ける必要がない。また、第２押上げ部材８２の係合穴部８２ａに、第１押上げ部材８１の係合爪部８１ａが回動可能に係合されるように構成することによって、第１押上げ部材８１を、丸軸状の回動軸を使用することなく、第２押上げ部材８２の係合穴部８２ａを支点に回動させることができるので、第１押上げ部材８１を回動させるために丸軸状の回動軸を別途設ける必要がない。これらの結果、押上げ部材８（第１押上げ部材８１および第２押上げ部材８２）を回動させるために丸軸状の回動軸を別途設けることなく、用紙３０を押し上げることができる。また、第２押上げ部材８２のバネ係合部８２ｂに、ねじりコイルバネ８３のコイル部８３ａが係合され、第１押上げ部材８１のバネ係合部８１ｂに、ねじりコイルバネ８３の係合腕部８３ｂが係合されるように構成することによって、第１押上げ部材８１が用紙３０を押し上げるとともに、第１押上げ部材８１の係合爪部８１ａが第２押上げ部材８２の係合穴部８２ａに対して回動する際に、第１押上げ部材８１は、第２押上げ部材８２のバネ係合部８２ｂに係合されているねじりコイルバネ８３により付勢されるため、用紙３０の枚数が変化しても、その枚数に合わせてねじりコイルバネ８３が撓むことにより、用紙３０を給紙ローラ２に適度な圧力で押圧することができる。
【００４３】
また、本実施形態では、給紙方向（矢印Ａ１方向）に延びる係合爪部８１ａを挿入可能で、かつ、係合爪部８１ａの給紙方向（矢印Ａ１方向）の長さよりも小さい長さを有する係合穴部８２ａを設けることによって、第２押上げ部材８２の係合穴部８２ａと第１押上げ部材８１の係合爪部８１ａとの係合を外れにくくすることができる。
【００４４】
また、本実施形態では、第２押上げ部材８２のバネ係合部８２ｂは、係合されているねじりコイルバネ８３のコイル部８３ａが、用紙３０の給紙方向（矢印Ａ１方向）と交差する方向の一方側（矢印Ｂ２方向）に移動するのを抑制するためのバネ係止部８２ｌを含み、ねじりコイルバネ８３の係合腕部８３ｂは、第１押上げ部材８１のバネ係合部８１ｂを、上方向および用紙３０の給紙方向（矢印Ａ１方向）と交差する方向の他方側（矢印Ｂ１方向）に付勢するようにバネ係合部８１ｂに係合されるように構成することによって、第２押上げ部材８２に係合されているねじりコイルバネ８３の係合腕部８３ｂにより第１押上げ部材８１のバネ係合部８１ｂが上方に付勢されることにより、第２押上げ部材８２の上方向への回動に伴って、容易に、第１押上げ部材８１を上方向へ回動させることができるので、容易に、第１押上げ部材８１により、用紙３０を押し上げて給紙ローラ２に付勢することができる。また、ねじりコイルバネ８３の係合腕部８３ｂにより、第１押上げ部材８１のバネ係合部８１ｂが給紙方向（矢印Ａ１方向）と交差する方向の他方側（矢印Ｂ１方向）に付勢されることにより、第１押上げ部材８１の係合爪部８１ａを、係合穴部８２ａの係合面８２ｊおよび係合面８２ｋに押圧させることができる。これにより、係合穴部８２ａに対する係合爪部８１ａの係合が外れるのをより有効に抑制することができる。
【００４５】
また、本実施形態では、バネ係合部８１ｂを、上方向に延びるとともに、用紙３０の給紙方向（矢印Ａ１方向）と交差する方向の一方側（矢印Ｂ２方向）に折れ曲がるように形成することによって、バネ係合部８１ｂの上方向に延びる部分により、ねじりコイルバネ８３の係合腕部８３ｂの用紙３０の給紙方向（矢印Ａ１方向）と交差する方向（矢印Ｂ方向）の付勢力を受けることができるとともに、バネ係合部８１ｂの用紙３０の給紙方向（矢印Ａ１方向）と交差する方向の一方側（矢印Ｂ２方向）に折れ曲がる部分により、ねじりコイルバネ８３の係合腕部８３ｂの用紙３０の給紙方向（矢印Ａ１方向）および上下方向の付勢力を受けることができる。
【００４６】
また、一実施形態では、ねじりコイルバネ８３のコイル部８３ａの他方端部に、バネ係合部８２ｂに係止する支持腕部８３ｃを設けることによって、支持腕部８３ｃによって、ねじりコイルバネ８３のコイル部８３ａがバネ係合部８２に対して空回りしてしまうのを抑制することができる。
【００４７】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４８】
たとえば、本実施形態では、画像形成装置の一例として昇華型プリンタを示したが、本考案はこれに限らず、画像形成装置であれば、昇華型プリンタ以外のインクジェットプリンタやレーザプリンタなどの他の画像形成装置にも適用可能である。
【００４９】
また、本実施形態では、第１押上げ部材に係合爪部を設けるとともに、第２押上げ部材に係合穴部を設ける例を示したが、本考案はこれに限らず、第１押上げ部材に係合穴部を設けるとともに、第２押上げ部材に係合爪部を設けるようにしてもよい。
【００５０】
また、本実施形態では、バネ係合部８１ｂを給紙方向と交差する方向の一方側（矢印Ｂ２方向）に曲げるとともに、バネ係合部８２ｂを給紙方向と交差する方向の他方側（矢印Ｂ１方向）に曲げ、ねじりコイルバネ８３の係合腕部８３ｂを給紙方向と交差する方向の他方側（矢印Ｂ１方向）に付勢させるように構成する例を示したが、本考案はこれに限らず、バネ係合部８１ｂを給紙方向と交差する方向の他方側（矢印Ｂ１方向）に曲げるとともに、バネ係合部８２ｂを給紙方向と交差する方向の一方側（矢印Ｂ２方向）に曲げ、ねじりコイルバネ８３の係合腕部８３ｂを給紙方向と交差する方向の一方側（矢印Ｂ２方向）に付勢させるように構成してもよい。
【図面の簡単な説明】
【００５１】
【図１】本考案の一実施形態による昇華型プリンタの構成を示す斜視図である。
【図２】本考案の一実施形態による昇華型プリンタの構成を示す斜視図である。
【図３】本考案の一実施形態による昇華型プリンタの構成を示す平面図である。
【図４】本考案の一実施形態による昇華型プリンタの構成を示す斜視図である。
【図５】本考案の一実施形態による押上げ部材の斜視図である。
【図６】本考案の一実施形態による押上げ部材の分解斜視図である。
【図７】本考案の一実施形態による押上げ部材の平面図である。
【図８】図７の１００−１００線に沿った断面図である。
【図９】本考案の一実施形態による押上げ部材の第１押上げ部材を示す平面図である。
【図１０】本考案の一実施形態によるねじりコイルバネを示す平面図である。
【図１１】本考案の一実施形態による押上げ部材の第２押上げ部材を示す平面図である。
【図１２】本考案の一実施形態による昇華型プリンタの押上げ部材の構成を説明するための図である。
【図１３】本考案の一実施形態による昇華型プリンタの構成および動作を説明するための図である。
【図１４】本考案の一実施形態による昇華型プリンタの構成および動作を説明するための図である。
【図１５】本考案の一実施形態による昇華型プリンタの構成および動作を説明するための図である。
【図１６】本考案の一実施形態による昇華型プリンタの押上げ部材の組立方法を詳細に説明するための図である。
【図１７】本考案の一実施形態による昇華型プリンタの押上げ部材の組立方法を詳細に説明するための図である。
【図１８】本考案の一実施形態による昇華型プリンタの押上げ部材の組立方法を詳細に説明するための図である。
【図１９】本考案の一実施形態による昇華型プリンタの押上げ部材の組立方法を詳細に説明するための図である。
【図２０】本考案の一実施形態による昇華型プリンタの押上げ部材の組立方法を詳細に説明するための図である。
【図２１】本考案の一実施形態による昇華型プリンタの押上げ部材の組立方法を詳細に説明するための図である。
【図２２】本考案の一実施形態による昇華型プリンタの押上げ部材の組立方法を詳細に説明するための図である。
【符号の説明】
【００５２】
１      シャーシ
２      給紙ローラ
８      押上げ部材
３０    用紙
８１    第１押上げ部材
８１ａ  係合爪部（第１係合部）
８１ｂ  バネ係合部（第１バネ係合部）
８１ｃ  押圧部（用紙支持部）
８２    第２押上げ部材
８２ａ  係合穴部（第２係合部）
８２ｂ  バネ係合部（第２バネ係合部）
８２ｅ  回動軸部
８２ｆ  第１係合穴部分
８２ｇ  第２係合穴部分
８２ｊ  係合面（第１係合面）
８２ｋ  係合面（第２係合面）
８２ｌ  バネ係止部（係止部）
８３    ねじりコイルバネ
８３ａ  コイル部
８３ｂ  係合腕部（第１腕部）
８３ｃ  支持腕部（第２腕部）
【図１】
0003126589.tif 000003
【図２】
0003126589.tif 000004
【図３】
0003126589.tif 000005
【図４】
0003126589.tif 000006
【図５】
0003126589.tif 000007
【図６】
0003126589.tif 000008
【図７】
0003126589.tif 000009
【図８】
0003126589.tif 000010
【図９】
0003126589.tif 000011
【図１０】
0003126589.tif 000012
【図１１】
0003126589.tif 000013
【図１２】
0003126589.tif 000014
【図１３】
0003126589.tif 000015
【図１４】
0003126589.tif 000016
【図１５】
0003126589.tif 000017
【図１６】
0003126589.tif 000018
【図１７】
0003126589.tif 000019
【図１８】
0003126589.tif 000020
【図１９】
0003126589.tif 000021
【図２０】
0003126589.tif 000022
【図２１】
0003126589.tif 000023
【図２２】
0003126589.tif 000024